(57)【要約】【課題】波長分割多重のチャネル間干渉を抑圧する。【解決手段】光送信端局１０から出力される信号波長λ１〜λｎの波長分割多重信号光（ＷＤＭ信号光）は、光伝送路１２を伝搬して光受信端局１４に入力する。ＷＤＭ分離装置２０が、光伝送路１２からのＷＤＭ信号光を各信号波長λ１〜λｎの信号光に分離する。ＯＴＤＭ分離装置２２は、分離装置２０で分離された信号波長λ２の信号光を、より低いビットレートの複数の信号光に分離し、それぞれを光バンドパスフィルタ２４−１〜２４−４に印加する。光バンドパスフィルタ２４−１〜２４−４は、分離装置２２によるダウンコンバートで発生するサイドバンドの両方を透過し、光送信端局１０でのデータ変調で発生したサイドバンドを遮断する。各光受信装置２６−１〜２６−４は、対応するフィルタ２４−１〜２４−４の出力信号光を受信する。【選択図】  図１
2004260461.tif 000002
【特許請求の範囲】
【請求項１】
伝送データを示すサイドバンドを有する、互いに異なる信号波長の複数の信号光からなるＷＤＭ信号光から所定信号波長の信号光を分離するＷＤＭ分離装置（２０）と、
当該ＷＤＭ分離装置（２０）から出力される当該所定信号波長の信号光のビットレートを低減するダウンコンバータ（２２）と、
当該ダウンコンバータ（２２）の出力光の帯域を制限する帯域制限光フィルタであって、当該所定波長の光キャリア成分と、当該ダウンコンバータ（２２）のダウンコンバートにより付加される、当該光キャリアに近接する少なくとも一方のサイドバンドとを透過し、且つ、当該伝送データを示すサイドバンドを抑圧する帯域制限光フィルタ（２４−１）と、
当該帯域制限光フィルタ（２４−１）の出力光から当該所定信号波長の信号光により搬送されるデータを復元する光受信器（２６−１）
とを具備することを特徴とする光受信装置。
【請求項２】
当該ダウンコンバータが、当該ＷＤＭ分離装置（２０）から出力される当該所定信号波長の信号光を時間軸上で複数の信号光に分離するＯＴＤＭ分離装置（２２）である請求項１に記載の光受信装置。
【請求項３】
伝送データを示すサイドバンドを有する、互いに異なる信号波長の複数の信号光からなるＷＤＭ信号光を各信号波長の信号光に分離するＷＤＭ分離装置（２０）と、
当該ＷＤＭ分離装置（２０）で分離された各信号波長の信号光により搬送される当該伝送データを受信する複数のデータ受信装置（２８−１〜２８−ｎ）
とからなる光受信装置であって、
当該各データ受信装置（２８−１〜２８−ｎ）が、
ＷＤＭ分離装置（２０）で分離される対応する信号波長の信号光を時間軸上で複数の信号光に分離するＯＴＤＭ分離装置（２２）と、
当該ＯＴＤＭ分離装置（２２）で分離される各信号光の帯域をそれぞれ制限する複数の帯域制限光フィルタであって、光キャリア成分と、当該ＯＴＤＭ分離装置（２２）での分離により付加される、当該光キャリアに近接する少なくとも一方のサイドバンドとを透過し、且つ、当該伝送データを示すサイドバンドを抑圧する帯域制限光フィルタ（２４−１〜２４−４）と、
当該帯域制限光フィルタ（２４−１）の各出力光から当該伝送データを復元する光受信器（２６−１〜２６−４）
とを具備することを特徴とする光受信装置。
【請求項４】
伝送データを示すサイドバンドを有する、互いに異なる信号波長の複数の信号光からなるＷＤＭ信号光から所定信号波長の信号光を分離する波長分離ステップと、
当該波長分離ステップで分離された当該所定信号波長の信号光のビットレートを低減するダウンコンバートステップと、
ダウンコンバート後の信号光のうち、当該所定波長の光キャリア成分と、当該ダウンコンバートステップで付加される、当該光キャリアに近接する少なくとも一方のサイドバンドとを透過し、且つ、当該伝送データを示すサイドバンドを抑圧する帯域制限ステップと、
当該帯域制限ステップで帯域を制限された信号光を受信する受信ステップ
とを具備することを特徴とする光受信方法。
【請求項５】
当該ダウンコンバートステップが、当該波長分離ステップで分離された当該所定信号波長の信号光を時間軸上で複数の信号光に分離するＯＴＤＭ分離ステップからなる請求項４に記載の光受信方法。
【請求項６】
伝送データを示すサイドバンドを有する、互いに異なる信号波長の複数の信号光からなるＷＤＭ信号光を各信号波長の信号光に分離するＷＤＭ分離ステップと、
当該ＷＤＭ分離ステップで分離された各信号波長の信号光を時間軸上で複数の信号光に分離するＯＴＤＭ分離ステップと、
当該ＯＴＤＭ分離ステップで分離される各信号光の内、その光キャリア成分と、当該ＯＴＤＭ分離ステップでの分離により付加される、当該光キャリアに近接する少なくとも一方のサイドバンドとを透過し、且つ、当該伝送データを示すサイドバンドを抑圧する帯域制限ステップと、
当該帯域制限ステップで帯域を制限された信号光から、当該信号光により搬送されるデータを復元するステップ
とを具備することを特徴とする光受信方法。
【発明の詳細な説明】
【０００１】
【発明の属する技術分野】
本発明は、波長分割多重（ＷＤＭ）光伝送におけるチャネル間干渉を抑圧する光受信装置及び方法に関する。
【０００２】
【従来の技術】
ＷＤＭ光伝送システムで伝送帯域を有効に利用するには、高密度に波長を多重する必要がある。しかし、チャネル間の周波数間隔を狭めていくと、チャネル間の干渉の影響が大きくなり、信号品質が劣化する。
【０００３】
これを避ける方法として、種々の方法が提案されている。第１の方法は、隣接チャネル間で偏波を直交させることで、隣接チャネル間の干渉を抑圧する方法である。例えば、Ｔ．Ｉｔｏ  ｅｔ  ａｌ．，”６．４  Ｔｂ／ｓ  （１６０  ｘ４０Ｇｂ／ｓ）ＷＤＭ  ｔｒａｎｓｍｉｓｓｉｏｎ  ｅｘｐｅｒｉｍｅｎｔ  ｗｉｔｈ  ０．８  ｂｉｔ／ｓ／Ｈｚ  ｓｐｅｃｔｒａｌ  ｅｆｆｉｅｎｃｙ，”  ２６ｔｈ  Ｅｕｒｏｐｅａｎ  Ｃｏｎｆｅｒｅｎｃｅ  ｏｎ  Ｏｐｔｉｃａｌ  Ｃｏｍｍｕｎｉｃａｔｉｏｎ  （ＥＣＯＣ２０００），  ｐｏｓｔｄｅａｄｌｉｎｅ  ｐａｐｅｒ  １．１．に記載されている。
【０００４】
第２の方法は、受信側でＮＲＺ信号の帯域を制限する方法である。例えば、Ｓ．  Ｂｉｇｏ  ｅｔ  ａｌ．，”５．１２  Ｔｂｉｔ／ｓ  （１２８  ｘ  ４０Ｇｂｉｔ／ｓ  ＷＤＭ）  ｔｒａｎｓｍｉｓｓｉｏｎ  ｏｖｅｒ  ３  ｘ  ｌ００ｋｍ  ｏｆ  ＴｅｒａｌｉｇｈｔＴＭ  ｆｉｂｒｅ，”  ２６ｔｈ  Ｅｕｒｏｐｅａｎ  Ｃｏｎｆｅｒｅｎｃｅ  ｏｎ  Ｏｐｔｉｃａｌ  Ｃｏｍｍｕｎｉｃａｔｉｏｎ  （ＥＣＯＣ  ２０００），  ｐｏｓｔｄｅａｄｌｉｎｅ  ｐａｐｅｒ  １．２．に記載されている。過度の帯域制限を行うことなく隣接チャネル間の干渉を抑制すするために、ＷＤＭ信号の波長配置を不等間隔にすることが記載されている。帯域制限信号、具体的には、ＶＳＢ（残留側波帯）−ＮＲＺ信号により、干渉を抑圧しているが、ここで帯域制限に使用される光フィルタの半値帯域幅は３０ＧＨｚである。
【０００５】
第３の方法は、受信光信号に波長分散を与えることで、干渉成分を光パルスの立上り又は立下り部に集中させた後、光パルスの中心部を光ゲーティングにより選択する方法である。例えば、Ｉ．  Ｍｏｒｉｔａ  ｅｔ  ａｌ．，”１００  ％  ｓｐｅｃｔｒａｌ−ｅｆｆｉｃｉｅｎｔ  ２５  ×  ４２．７  Ｇｂｉｔ／ｓ  ｔｒａｎｓｍｉｓｓｉｏｎ  ｕｓｉｎｇ  ａｓｙｍｍｅｔｒｉｃａｌｌｙ  ｆｉｌｔｅｒｅｄ  ＣＳ−ＲＺ  ｓｉｇｎａｌ  ａｎｄ  ａ  ｎｏｖｅｌ  ｃｒｏｓｓｔａｌｋ  ｓｕｐｐｒｅｓｓｏｒ，”  ２８ｔｈ  Ｅｕｒｏｐｅａｎ  Ｃｏｎｆｅｒｅｎｃｅ  ｏｎ  Ｏｐｔｉｃａｌ  Ｃｏｍｍｕｎｉｃａｔｉｏｎ  （ＥＣＯＣ  ２００２），ＰＤ４．７に記載されている。
【０００６】
【発明が解決しようとする課題】
偏波多重を併用する方式では、長距離伝送を実現できない。光伝送路の偏波モード分散（ＰＭＤ）により偏波の直交性が維持されなくなり、これが、伝送特性を制限する。伝送光ファイバのＰＭＤは、距離の平方根に比例するので、ＰＭＤに応じて伝送距離が制限される。また、偏波多重では、受信側で偏波をトラッキングする回路が必要となり、受信装置の構成が複雑となる。
【０００７】
送信側で信号光の帯域を制限する方法では、信号光の帯域を制限しすぎると、信号品質が劣化する。従って、ＷＤＭの高密度化には限界がある。
【０００８】
波長分散と光ゲートを用いる方法では、波長分散媒体の出力段にクロック抽出手段と光ゲートを新たに配置する必要があり、光受信装置の構成が複雑になる。
【０００９】
注目するチャネルの受信信号光を抽出する光フィルタには、隣接するチャネルの信号光からの干渉成分を抑圧する作用がある。しかし、その光フィルタの通過帯域を狭くしすぎると、受信信号の信号品質が大幅に劣化する。従って、各チャネルの信号光を抽出する光フィルタの通過帯域を狭くするのにも限界がある。
【００１０】
本発明は、隣接チャネル間の干渉を効果的に抑圧できる光受信装置及び方法を提示することを目的とする。
【００１１】
本発明はまた、信号品質の劣化無しで又は信号品質の少ない劣化で、信号帯域を制限できる光受信装置及び方法を提示することを目的とする。
【００１２】
【課題を解決するための手段】
本発明に係る光受信装置は、伝送データを示すサイドバンドを有する、互いに異なる信号波長の複数の信号光からなるＷＤＭ信号光から所定信号波長の信号光を分離するＷＤＭ分離装置と、当該ＷＤＭ分離装置から出力される当該所定信号波長の信号光のビットレートを低減するダウンコンバータと、当該ダウンコンバータの出力光の帯域を制限する帯域制限光フィルタであって、当該所定波長の光キャリア成分と、当該ダウンコンバータのダウンコンバートにより付加される、当該光キャリアに近接する少なくとも一方のサイドバンドとを透過し、且つ、当該伝送データを示すサイドバンドを抑圧する帯域制限光フィルタと、当該帯域制限光フィルタの出力光から当該所定信号波長の信号光により搬送されるデータを復元する光受信器とを具備することを特徴とする。
【００１３】
帯域制限光フィルタが、ダウンコンバータの出力光の内、当該所定波長の光キャリア成分と、当該ダウンコンバータのダウンコンバートにより付加される、当該光キャリアに近接する少なくとも一方のサイドバンドとを透過し、且つ、当該伝送データを示すサイドバンドを抑圧する。これにより、隣接する信号波長からのクロストークを抑圧できる。結果として、信号帯域を狭くすることが可能になり、波長多重密度を上げることができる。
【００１４】
本発明に係る光受信装置は、伝送データを示すサイドバンドを有する、互いに異なる信号波長の複数の信号光からなるＷＤＭ信号光を各信号波長の信号光に分離するＷＤＭ分離装置と、当該ＷＤＭ分離装置で分離された各信号波長の信号光により搬送される当該伝送データを受信する複数のデータ受信装置とからなる光受信装置である。当該各データ受信装置が、ＷＤＭ分離装置で分離される対応する信号波長の信号光を時間軸上で複数の信号光に分離するＯＴＤＭ分離装置と、当該ＯＴＤＭ分離装置（２２）で分離される各信号光の帯域をそれぞれ制限する複数の帯域制限光フィルタであって、光キャリア成分と、当該ＯＴＤＭ分離装置での分離により付加される、当該光キャリアに近接する少なくとも一方のサイドバンドとを透過し、且つ、当該伝送データを示すサイドバンドを抑圧する帯域制限光フィルタと、当該帯域制限光フィルタの各出力光から当該伝送データを復元する光受信器とを具備する。
【００１５】
帯域制限光フィルタが、ＯＴＤＭ分離装置の出力光の内、光キャリア成分と、当該ＯＴＤＭ分離装置での分離により付加される、当該光キャリアに近接する少なくとも一方のサイドバンドとを透過し、且つ、当該伝送データを示すサイドバンドを抑圧する。これにより、隣接する信号波長からのクロストークを抑圧できる。結果として、信号帯域を狭くすることが可能になり、波長多重密度を上げることができる。
【００１６】
本発明に係る光受信方法は、伝送データを示すサイドバンドを有する、互いに異なる信号波長の複数の信号光からなるＷＤＭ信号光から所定信号波長の信号光を分離する波長分離ステップと、当該波長分離ステップで分離された当該所定信号波長の信号光のビットレートを低減するダウンコンバートステップと、ダウンコンバート後の信号光のうち、当該所定波長の光キャリア成分と、当該ダウンコンバートステップで付加される、当該光キャリアに近接する少なくとも一方のサイドバンドとを透過し、且つ、当該伝送データを示すサイドバンドを抑圧する帯域制限ステップと、当該帯域制限ステップで帯域を制限された信号光を受信する受信ステップとを具備することを特徴とする。
【００１７】
ダウンコンバート後の信号光のうち、当該所定波長の光キャリア成分と、当該ダウンコンバータのダウンコンバートにより付加される、当該光キャリアに近接する少なくとも一方のサイドバンドとを透過し、且つ、当該伝送データを示すサイドバンドを抑圧することにより、隣接する信号波長からのクロストークを抑圧できる。結果として、信号帯域を狭くすることが可能になり、波長多重密度を上げることができる。
【００１８】
本発明に係る光受信方法は、伝送データを示すサイドバンドを有する、互いに異なる信号波長の複数の信号光からなるＷＤＭ信号光を各信号波長の信号光に分離するＷＤＭ分離ステップと、当該ＷＤＭ分離ステップで分離された各信号波長の信号光を時間軸上で複数の信号光に分離するＯＴＤＭ分離ステップと、当該ＯＴＤＭ分離ステップで分離される各信号光の内、その光キャリア成分と、当該ＯＴＤＭ分離ステップでの分離により付加される、当該光キャリアに近接する少なくとも一方のサイドバンドとを透過し、且つ、当該伝送データを示すサイドバンドを抑圧する帯域制限ステップと、当該帯域制限ステップで帯域を制限された信号光から、当該信号光により搬送されるデータを復元するステップとを具備することを特徴とする。
【００１９】
ＯＴＤＭ分離後の信号光の内、光キャリア成分と、ＯＴＤＭ分離により付加される、当該光キャリアに近接する少なくとも一方のサイドバンドとを透過し、且つ、当該伝送データを示すサイドバンドを抑圧することにより、隣接する信号波長からのクロストークを抑圧できる。結果として、信号帯域を狭くすることが可能になり、波長多重密度を上げることができる。
【００２０】
【実施例】
以下、図面を参照して、本発明の一実施例を詳細に説明する。
【００２１】
図１は、本発明の一実施例の概略構成ブロック図を示す。光送信端局１０は、信号波長λ１〜λｎの波長分割多重信号光（ＷＤＭ信号光）を光伝送路１２に出力する。ここでは、各波長λ１〜λｎの信号光のデータレートは、４０Ｇｂ／ｓであり、信号光はＲＺ信号からなるとする。
【００２２】
光伝送路１２を伝搬したＷＤＭ信号光は、光受信端局１４に入力する。光伝送路１２から光受信端局１４に入力するＷＤＭ信号光の光スペクトル例を図２に示す。図２には、信号波長λ１，λ２，λ３の光スペクトル例を図示した。高密度波長分割多重の場合、隣接する信号波長のスペクトルが、それらの裾の部分で重なり合う。各信号波長のスペクトルは、光キャリア３０と、光キャリア３０の両側に位置するサイドバンド３２，３４を具備する。光キャリア３０とサイドバンド３２，３４との間の間隔が４０ＧＨｚに相当する。
【００２３】
光受信端局１４では、ＷＤＭ分離装置２０が、光伝送路１２から入力するＷＤＭ信号光を各信号波長λ１〜λｎの信号光に分離する。このような機能の分離装置２０として、例えば、アレイ導波路格子がある。４０Ｇｂ／ｓシステムで使用されるアレイ導波路格子の標準的なチャネル間隔は１００ＧＨｚであり、その半値帯域幅は０．６ｎｍ以上（７５ＧＨｚ以上）である。本実施例では、分離装置２０は単に、信号波長λ１〜λｎの各チャネルを分離できればよい。図２に破線で示す特性３６は、信号波長λ２に対するＷＤＭ分離装置２０の透過特性（波長分離特性）を示す。図３は、分離装置２０により分離される信号波長λ２の成分のスペクトル例を示す。参考のため、隣接する信号波長λ１，λ３のスペクトルを破線で示す。
【００２４】
ＷＤＭ分離装置２０の各信号波長に対する波長分離特性は、目的の信号波長の光キャリア３０及びその両側のサイドバンド３２，３４を抽出でき、隣接する信号波長のサイドバンドを含まないように設計される。
【００２５】
ＷＤＭ分離装置２０で分離された各信号波長λ１〜λｎの信号光は、データ受信装置２８−１〜２８−ｎに入力する。データ受信装置２８−１〜２８−ｎは、同じ構成からなる。但し、後述する帯域制限用の光バンドパスフィルタ２４−１〜２４−４の中心波長は、それぞれの信号波長に応じて設定される。
【００２６】
ＷＤＭ分離装置２０で分離された信号波長λ２の信号光は、ＯＴＤＭ（光時分割多重）分離装置２２に入力する。ＯＴＤＭ分離装置２２は、波長λ２の信号光を、より低いビットレートの複数の信号光に分離する。ここでは、分離装置２２は、４０Ｇｂ／ｓの信号光を４つの１０Ｇｂ／ｓの信号光に分離することで、信号波長λ２の信号光のビットレートを低減している。分離装置２２はいわば、受信信号のビットレートを低減するダウンコンバータとして機能する。
【００２７】
ＯＴＤＭについては、Ｍ．  Ｓｕｚｕｋｉ  ｅｔ  ａｌ．，“Ｌｏｎｇ−ｄｉｓｔａｎｃｅ  ｓｏｌｉｔｏｎ  ｔｒａｎｓｍｉｓｓｉｏｎ  ｕｐ  ｔｏ  ２０Ｇｂｉｔ／ｓ  ｕｓｉｎｇ  ａｌｔｅｒｎａｔｉｎｇ−ａｍｐｌｉｔｕｄｅ  ｓｏｌｉｔｏｎｓ  ａｎｄ  ｏｐｔｉｃａｌ  ＴＤＭ，”  ＩＥＩＣＥ  Ｔｒａｎｓａｃｔｉｏｎｓ  ｏｎ  Ｅｌｅｃｔｒｏｎｉｃｓ，  ｖｏｌ．Ｅ７８−Ｃ，ｎｏ．１，  １９９５に記載されている。
【００２８】
分離装置２２で分離された４つのチャネルはそれぞれ、狭帯域の光バンドパスフィルタ２４−１〜２４−４に入力する。図４は、分離装置２２で分離された信号波長λ２のチャネルのスペクトルと、光バンドパスフィルタ２４−１〜２４−４の通過帯域の一例を示す。各ピークの位置関係と本実施例の処理を理解しやすいように、図４は、縦と横を適当に拡大縮小して図示されている。
【００２９】
分離装置２２によるダウンコンバートにより、各チャネルのスペクトルには、光キャリア３０からダウンコンバート後のビットレートに相当する周波数１０ＧＨｚだけ離れた位置にサイドバンド３８，４０が発生する。サイドバンド３８，４０は伝送前のサイドバンド３２，３４よりも内側に位置する。サイドバンド３８，４０から更に外側に１０ＧＨｚだけ離れた位置にもサイドバンドが発生するが、後述するように本実施例では利用しないので、図４では省略してある。
【００３０】
図４には、光バンドパスフィルタ２４−１〜２４−４の透過特性を破線４２で示した。図４に示すように、光バンドパスフィルタ２４−１〜２４−４の透過特性４２は、光キャリア３０、及び、分離装置２２のダウンコンバートにより発生する最も内側のサイドバンド３８，４０を透過するが、伝送前のサイドバンド３２，３４を除去するように設計される。図５は、光バンドパスフィルタ２４−１〜２４−４の出力光のスペクトル例を示す。参考のため、波長λ１，λ３に対する同様の光フィルタ出力のスペクトルを破線で示す。
【００３１】
図４及び図５では、光バンドパスフィルタ２４−１〜２４−４は、分離装置２２によるダウンコンバートで発生するサイドバンド３８，４０の両方を透過しているが、実験の結果、光キャリア３０と一方のサイドバンド３８（又は４０）のみを透過すれば良いことが分かっている。
【００３２】
各光受信装置２６−１〜２６−４は、対応する光２４−１〜２４−４の出力信号光を受信し、その信号光で搬送されるデータを復調する。波長λ２で伝送される４０Ｇｂ／ｓのデータを復元する必要がある場合、分離装置２２の分離規則に応じて受信装置２６−１〜２６−４の出力データを合成すればよい。
【００３３】
４２．７Ｇｂｉｔ／ｓのＲＺ信号を伝送する場合で、ＯＴＤＭ分離装置２２によるダウンコンバートと、光バンドパスフィルタ２４−１〜２４−４による帯域幅の関係を調べた。図６は、４２．７Ｇｂｉｔ／ｓ信号を１０．７Ｇｂｉｔ／ｓにダウンコンバートする場合としない場合とで、帯域制限の効果を測定した結果を示す。横軸は、各チャネルの通過帯域幅、即ち帯域制限光フィルタのフィルタバンド幅を示し、縦軸はＱ２値を示す。
【００３４】
波長分離装置２２を設けない場合、ＷＤＭ分離装置２０で各チャネルの通過帯域を制限した。図６のＯＴＤＭ分離前の測定結果からわかるように、この場合、通過帯域幅が約１００ＧＨｚの位置で伝送特性が劣化し始め、１００ＧＨｚより小さくなると、急激に伝送特性が劣化する。これは、高密度の波長分離多重伝送では、ＷＤＭ分離装置２０のみで隣接チャネル成分を抑圧することが困難であることを示している。
【００３５】
これに対し、波長分離装置２２を設けた場合、光バンドパスフィルタ２４−１〜２４−４の通過帯域幅を約３５ＧＨｚまで小さくしても、Ｑ２値があまり劣化しない。これは、各チャネルの帯域幅を狭くでき、従って、隣接チャネルの干渉成分を大きく抑圧できることを意味する。図６から、光バンドパスフィルタによる帯域制限に対する耐力が、ＯＴＤＭ分離、即ちダウンコンバートにより向上していることが分かる。
【００３６】
４５ＧＨｚのフィルタで帯域制限した４２．７Ｇｂｉｔ／ｓの３波長の信号光を５０ＧＨｚ間隔で多重した場合で、本実施例の効果を確認した。図７は、その測定結果を示す。横軸は、光バンドパスフィルタ２４−１〜２４−４の通過帯域幅を示し、縦軸はＱ２値を示す。ここでは、隣接チャネルを除去した場合のＱ値を１５．６ｄＢに設定している。図７の横軸は、ダウンコンバート後のデータレートＢ（ここでは、１０．７Ｇｂ／ｓ）で規格化されている。図７から、光バンドパスフィルタ２４−１〜２４−４の通過帯域をＢから３Ｂ程度に設定することで、フィルタを用いることにより、隣接チャネルからの干渉の影響を０．５ｄＢ程度に抑制できることが分かる。ちなみに、ダウンコンバートを行わない従来の構成では、帯域制限による特性劣化を避けるには、光フィルタ帯域幅を１０Ｂ以上（１００ＧＨｚ以上）に設定していた。
【００３７】
ＲＺ伝送の場合を説明したが、本発明は、別の伝送方式、具体的には、ＮＲＺ伝送、ＣＳ（キャリア抑圧）−ＲＺ伝送、ＶＳＢ（残留側波帯）−ＲＺ伝送、及び、ＶＳＢ（残留側波帯）−ＮＲＺ伝送の何れにも適用可能である。各ケースにおける光スペクトルの変化、ＷＤＭ分離の分離特性、及びダウンコンバート後の帯域制限特性の例を図８、図９、図１０及び図１１に示す。
【００３８】
図８に示すＮＲＺ信号の場合、ＯＴＤＭ分離によりＮＲＺ信号がＲＺ信号に変換される。この場合、光バンドパスフィルタ２４−１〜２４−４の通過帯域を、光キャリアと最も内側の両サイドバンド又は一方のサイドバンドを透過するように設定する。
【００３９】
図９に示すキャリア抑圧ＲＺ信号の場合、ＯＴＤＭ分離によりＣＳ−ＲＺ信号がＲＺ信号に変換される。この場合、光バンドパスフィルタ２４−１〜２４−４の通過帯域を、光キャリアと最も内側の両サイドバンド又は一方のサイドバンドを透過するように設定する。
【００４０】
図１０に示す残留側波帯（ＶＳＢ）ＲＺ信号の場合、光バンドパスフィルタ２４−１〜２４−４の通過帯域を、光キャリアと残留側波帯の最も内側のサイドバンドとを透過するように設定する。
【００４１】
図１１に示す残留側波帯（ＶＳＢ）ＮＲＺ信号の場合、ＯＴＤＭ分離によりＶＳＢ−ＮＲＺ信号がＶＳＢ−ＲＺ信号に変換される。この場合、光バンドパスフィルタ２４−１〜２４−４の通過帯域を、光キャリアと残留側波帯の最も内側のサイドバンドとを透過するように設定する。
【００４２】
【発明の効果】
以上の説明から容易に理解できるように、本発明によれば、非常に簡単な構成で信号をの帯域を狭くすることができる。この結果、波長分割多重伝送の波長間隔を狭くしても、良好な伝送特性を得ることができる。
【図面の簡単な説明】
【図１】本発明の一実施例の概略構成ブロック図である。
【図２】ＷＤＭ信号のスペクトルの重なりとＷＤＭ分離帯域を示す模式図である。
【図３】ＷＤＭ分離装置２０の出力信号光のスペクトル例の模式図である。
【図４】ＯＴＤＭ分離装置２２によるＯＴＤＭ分離後のスペクトルとフィルタ２４−１〜２４−４による帯域制限の例を示す模式図である。
【図５】光バンドパスフィルタ２４−１〜２４−４の出力信号光のスペクトル例の模式図である。
【図６】ＯＴＤＭ分離装置２２の作用の測定例である。
【図７】光バンドパスフィルタ２４−１〜２４−４の通過帯域Ｂに対するＱ２値の測定例である。
【図８】ＮＲＺ信号に対するＷＤＭ分離と帯域制限の例の模式図である。
【図９】ＣＳ−ＲＺ信号に対するＷＤＭ分離と帯域制限の例の模式図である。
【図１０】ＶＳＢ−ＲＺ信号に対するＷＤＭ分離と帯域制限の例の模式図である。
【図１１】ＶＳＢ−ＮＲＺ信号に対するＷＤＭ分離と帯域制限の例の模式図である。
【符号の説明】
１０：光送信端局
１２：光伝送路
１４：光受信端局
２０：ＷＤＭ分離装置
２２：ＯＴＤＭ分離装置
２４−１〜２４−４：光バンドパスフィルタ
２６−１〜２６−４：光受信装置
２８−１〜２８−４：データ受信装置
３０：光キャリア
３２，３４：送信端局でのデータ変調によるサイドバンド
３６：ＷＤＭ分離送致２０の分離特性
３８，４０：ＯＴＤＭ分離により発生するサイドバンド
４２：フィルタ２４−１〜２４−４による帯域制限特性
【図１】
2004260461.tif 000003
【図２】
2004260461.tif 000004
【図３】
2004260461.tif 000005
【図４】
2004260461.tif 000006
【図５】
2004260461.tif 000007
【図６】
2004260461.tif 000008
【図７】
2004260461.tif 000009
【図８】
2004260461.tif 000010
【図９】
2004260461.tif 000011
【図１０】
2004260461.tif 000012
【図１１】
2004260461.tif 000013